(57)【要約】【課題】照明器具に関して、使用者の利便性を向上した洗面化粧台を提供することを目的とする。【解決手段】照明装置４１と、時刻情報を取得する時計手段４９と、時計手段４９による時刻に基づいて、照明装置４１の照度を、時間帯に応じて予め定められた値に制御する照度制御手段５１と、を備える洗面化粧台１である。この洗面化粧台１では、照明装置４１の照度が、時間帯に応じて予め定められた値に制御されるから、使用者が常には自ら光の照度変更の必要性を判断する必要がなく、使用者の利便性が向上する。【選択図】図７
2017158668.tif 000002
【特許請求の範囲】
【請求項１】
照明装置と、
時刻情報を取得する時計手段と、
前記時計手段による時刻に基づいて、前記照明装置の照度を、時間帯に応じて予め定められた値に制御する照度制御手段と、を備えることを特徴とする洗面化粧台。
【請求項２】
前記時計手段による時刻に基づいて、前記照明装置の色温度を、時間帯に応じて予め定められた値に制御する色温度制御手段を備えることを特徴とする請求項１に記載の洗面化粧台。
【請求項３】
前記照明装置をオンオフ可能なオンオフスイッチと、
前記照明装置の照度及び色温度について、予め定められた少なくとも１つのモードに切り替えが可能な切替スイッチと、を備え、
前記オンオフスイッチにて、前記照明装置をオンした後に、前記切替スイッチを操作すると、予め定められた少なくとも１つのモードに切り替えられ、
前記照明装置がオフの状態で、前記切替スイッチを操作すると、前記照明装置は予め定められたモードにてオンされることを特徴とする請求項１又は２に記載の洗面化粧台。
【請求項４】
所定のモードの状態で、前記オンオフスイッチによって前記照明装置をオフした場合には、次に、前記オンオフスイッチによって前記照明装置をオンすると、
前記時計手段による時刻に基づいて、前記照明装置の照度及び／又は色温度を、時間帯に応じて予め定められた値に制御することを特徴とする請求項３に記載の洗面化粧台。
【請求項５】
前記照度制御手段により、前記照明装置の照度及び／又は色温度を制御する場合に、予め定められた時間帯と照度及び／又は色温度の対応付けから、時刻を前後にシフトした対応付けにシフト可能なシフト手段を備えていることを特徴とする請求項２乃至４のいずれか一項に記載の洗面化粧台。
【発明の詳細な説明】
【技術分野】
【０００１】
本発明は洗面化粧台に関するものである。
【背景技術】
【０００２】
従来、この種の洗面化粧台として特許文献１に開示されたものが知られている。特許文献１では、照明器具を小型化するとともに、無駄のない光の照射を可能にした技術が開示されている。
【０００３】
ところで、洗面化粧台を実際の化粧に用いる場合には、照明器具の照度が高い方が望ましい。そこで、この洗面化粧台においても、照度を高くすることが考えられる。
【先行技術文献】
【特許文献】
【０００４】
【特許文献１】特開２０１５−１０４５５１号公報
【発明の概要】
【発明が解決しようとする課題】
【０００５】
ところが、洗面化粧台において、単に照度を高くすると、化粧以外に使用する場合には明るすぎ、まぶしいという課題がある。
【０００６】
この課題を解決するために、特許文献１に記載された調光手段を利用することが考えられる。この調光手段は、照明器具の光の強度を調整可能であり、具体的には、ＬＥＤ光源の点灯スイッチと消灯スイッチを備え、そして点灯スイッチの押圧回数や押圧時間の長短によってＬＥＤ光源の光の強さを強・中・弱に切り替え可能とされている。よって、ミラーキャビネットの前に立っている使用者は、点灯スイッチ等の調光手段によって、必要に応じて光の強度の増減を調整できる。
【０００７】
しかしながら、この特許文献１では、使用者が常に自ら光の強度変更の必要性を判断し、常に手動にて光の強度変更をする必要があり、操作性の改良が求められていた。
【０００８】
本発明は、上記従来の実情に鑑みてなされたものであって、照明器具に関して、使用者の利便性を向上した洗面化粧台を提供することを目的とする。
【課題を解決するための手段】
【０００９】
本発明の洗面化粧台は、
照明装置と、
時刻情報を取得する時計手段と、
前記時計手段による時刻に基づいて、前記照明装置の照度を、時間帯に応じて予め定められた値に制御する照度制御手段と、を備えることを特徴とする。
【００１０】
本発明に係る洗面化粧台は、時刻に基づいて、照明装置の照度を、時間帯に応じて予め定められた値に制御する照度制御手段が備えられているから、以下の作用効果を奏する。すなわち、照明装置の照度が、時間帯に応じて予め定められた値に制御されるから、使用者が常には自ら光の照度変更の必要性を判断する必要がなく、使用者の利便性が向上する。
【図面の簡単な説明】
【００１１】
【図１】実施例１の洗面化粧台を示す斜視図である。
【図２】実施例１のミラーキャビネットを示す斜視図である。
【図３】実施例１のミラーキャビネットの分解斜視図である。
【図４】実施例１の中仕切りユニット（左側）の分解斜視図である。
【図５】実施例１の中仕切りユニット（右側）の分解斜視図である。
【図６】実施例１のＬＥＤ基板の概略図である。
【図７】実施例１の洗面化粧台の構成例を表すブロック図である。
【図８】時間帯による照度・色温度を変化させる制御の一例を説明するための説明図である。
【図９】消灯における制御処理の一例を示すフローチャートである。
【発明を実施するための形態】
【００１２】
本発明における好ましい実施の形態を説明する。
【００１３】
本発明の洗面化粧台において、前記時計手段による時刻に基づいて、前記照明装置の色温度を、時間帯に応じて予め定められた値に制御する色温度制御手段を備えていてもよい。この態様では、時刻に基づいて、照明装置の色温度を、時間帯に応じて予め定められた値に制御する色温度制御手段が備えられているから、以下の作用効果を奏する。すなわち、照明装置の色温度が、時間帯に応じて予め定められた値に制御されるから、使用者が常には自ら光の色温度変更の必要性を判断する必要がなく、使用者の利便性が向上する。
【００１４】
本発明の洗面化粧台において、前記照明装置をオンオフ可能なオンオフスイッチと、前記照明装置の照度及び色温度について、予め定められた少なくとも１つのモードに切り替えが可能な切替スイッチと、を備えていてもよい。そして、オンオフスイッチにて、前記照明装置をオンした後に、前記切替スイッチを操作すると、予め定められた少なくとも１つのモードに切り替えられ、前記照明装置がオフの状態で、前記切替スイッチを操作すると、前記照明装置は予め定められたモードにてオンされるようにしてもよい。
この態様では、予め定められた少なくとも１つのモードに切り替えが可能な切替スイッチが備えられているから、以下の作用効果を奏する。すなわち、切替スイッチによりモードの切り替えがされるから、利用者が自らの意思も反映することができ、利便性が更に向上する。また、照明装置がオフの状態で、切替スイッチを操作することによって、照明装置が予め定められたモードにてオンされる場合は、操作回数が減るから利便性が高い。
【００１５】
本発明の洗面化粧台において、所定のモードの状態で、前記オンオフスイッチによって前記照明装置をオフした場合には、次に、前記オンオフスイッチによって前記照明装置をオンすると、前記時計手段による時刻に基づいて、前記照明装置の照度及び／又は色温度を、時間帯に応じて予め定められた値に制御することとしてもよい。この態様では、化粧に適した所定のモードで消灯しても、次回の点灯時には、時計手段による時刻に基づいて、照明装置の照度及び／又は色温度が、時間帯に応じて予め定められた値に制御される。よって、化粧に適した所定のモードで終了しても、時刻に基づいてコントロールされた状態に戻す必要がなくなるから、操作回数が減り、利便性が高い。
【００１６】
本発明の洗面化粧台において、前記照度制御手段により、前記照明装置の照度及び／又は色温度を制御する場合に、予め定められた時間帯と照度及び／又は色温度の対応付けから、時刻を前後にシフトした対応付けにシフト可能なシフト手段を備えていてもよい。この態様では、夜勤等を行う者の勤務状況や、生活状態に合わせた設定をすることができ、利用者の生活リズムに適した照明とすることができる。
【００１７】
次に、本発明の洗面化粧台１を具体化した実施例１について、図面を参照しつつ説明する。
【００１８】
＜実施例１＞
実施例１の洗面化粧台１は、洗面所等に設置されるものである。洗面化粧台１は、図１に示すように、下部の箱状の洗面台３の上面に、水栓５を備えた洗面ボウル７が設けられ、洗面ボウル７の上部には、多面鏡のミラーキャビネット９が設置されている。水栓５は、洗面ボウル７の奥側に設置され、上方に向かって立ち上がり、途中で前方側に向かって折れ曲がった形態をしている。洗面ボウル７は、曲面状に凹んだ形態とされ、デザイン性が高くされている。
【００１９】
ミラーキャビネット９は、図２に示すように、キャビネット本体１１内に複数、例えば３つの収納部１３が形成されている。キャビネット本体１１は、図３に示すように、略矩形状の背板１１Ａと、背板１１Ａの両側に取り付けられた側板１１Ｂと、背板１１Ａの上端に取り付けられた天板１１Ｃと、背板１１Ａの下端に取り付けられた第１底板１１Ｄ及び第２底板１１Ｅとを備えてなる。
各収納部１３の開口には、開口を開閉する三面のミラー扉１５が取り付けられている。ミラーキャビネット９の各収納部１３は、図２に示すように収納空間の比較的大きい中央の収納部１３Ａと、その両側の収納部１３Ｂ、１３Ｃとが、２つの中仕切りユニット１７によって収納空間を仕切られている。各ミラー扉１５は扉板の表面にミラーが貼り付けられて形成されている。比較的幅広の中央のミラー扉１５Ａとその両側のミラー扉１５Ｂ、１５Ｃとを有している。ミラー扉１５Ａ、１５Ｂ、１５Ｃはいずれも高さが略同一であるが、中央のミラー扉１５Ａがその両側のミラー扉１５Ｂ、１５Ｃよりも幅広とされている。ミラー扉１５Ａ、１５Ｂ、１５Ｃは、いずれも略長方形をなしている。ミラー扉１５Ａ、１５Ｂ、１５Ｃの側部には、中央と左側のミラー扉１５Ａ、１５Ｂが左開きとなり、右側のミラー扉１５Ｃが右開きとなるように蝶番が取り付けられている。
【００２０】
中仕切りユニット１７は、図４〜図５に示すように、左側の中仕切りユニット１７Ａが右側の中仕切りユニット１７Ｂと左右対称になるように構成されている。各中仕切りユニット１７は、中仕切りユニット本体部１９と、中仕切りユニット本体部１９の前方側に取り付けられたＬＥＤ基板２１と、ＬＥＤ基板２１を前方側から覆う例えば合成樹脂製の照明カバー２３とを備えている。本実施例では、中仕切りユニット１７が、照明装置４１を構成している。中仕切りユニット本体部１９は、押し出しした後にアルマイト処理して形成されている。押出成形されたアルミニウムを用いることで、十分な強度を持たせることができる。中仕切りユニット本体部１９は、中空の板状で上下方向に延びており、その奥行きは収納部１３の奥行きよりもやや大きくされている。中仕切りユニット本体部１９を中空とすることで、中仕切りユニット本体部１９の軽量化を図ることができる。中仕切りユニット本体部１９の上端は、天板１１Ｃによって覆われるようにされている。中仕切りユニット本体部１９の下端は、樹脂製のエンドキャップ２７により塞がれている。
【００２１】
ＬＥＤ基板２１には、図６に示すように、複数のＬＥＤ光源（ＬＥＤチップ）２９が上下方向に略等間隔で並べて取り付けられている。ＬＥＤ光源２９は、昼光色のＬＥＤ光源２９Ａと、電球色のＬＥＤ光源２９Ｂとの２種類が交互になるように配置されている。なお、ここでいう昼光色及び電球色は、ＪＩＳ  Ｚ９１１２に規定されているものである。
【００２２】
照明カバー２３は、例えばポリカーボネート等の半透明の樹脂製で内部に拡散材を分散させており、複数のＬＥＤ光源２９からの光を、光源を視認できない程度に拡散させて前方に放射させることが好ましい。図１に示すように、ミラー扉１５Ａとミラー扉１５Ｂとの間、ミラー扉１５Ａとミラー扉１５Ｃとの間の部分から、照明カバー２３が上下に延びるライン状に露出した状態とされている。すなわち、中仕切りユニット１７の前面部が隣り合うミラー扉１５の間から見える状態となっている。そして、中仕切りユニット１７の前面部にＬＥＤ光源２９が配置されおり、ミラー扉１５を閉じた状態でも前方を照らすことができるようにされている。
【００２３】
本実施例１の洗面化粧台１は、図７に示すように、照明装置４１と、制御装置４３と、オンオフスイッチ４５と、切替スイッチ４７とを備えている。照明装置４１は、内部のＬＥＤ光源２９の照度および色温度を制御装置４３によって制御可能な照明である。
【００２４】
制御装置４３は、時計手段４９と、照度制御手段５１と、色温度制御手段５３と、第１シフト手段５５と、第２シフト手段５７と、記憶手段５９とを備えた構成である。制御装置４３は、ハードウェア、ソフトウェアのいずれによって実現されてもよく、例えば、ＣＰＵ、メモリ（ＲＯＭ、ＲＡＭ等）、入出力回路等を備えるマイクロコントローラ（マイクロコンピュータ）を中心として、入出力インターフェース等周辺回路を備えることにより構成することができる。
【００２５】
時計手段４９は、現在時刻を取得する手段である。時計手段４９の計時方法は、特に限定されず、クオーツ時計、電波時計、原子時計、ＧＰＳ等の公知の方法で現在時刻を取得する構成にできる。
【００２６】
照度制御手段５１は、時計手段４９による時刻に基づいて、照明装置４１の照度を、時間帯に応じて予め定められた値に制御する手段である。すなわち、照度制御手段５１は、時間により照明装置４１の照度を予め定められた規定範囲内で制御する手段である。照度制御手段５１は、照度を１日の間に変化させることに特徴がある。１年を通じて季節がある場合には、季節ごとに照度の１日の間での変化の設定を変えてもよい。また、３６５日の日ごとや、月ごとに照度の１日の間での変化の設定を変えてもよい。
【００２７】
照度制御手段５１は、例えば、図８に示すように、朝の時間帯（例えば午前４時よりも遅く午前９時まで）と、昼の時間帯（例えば午前９時よりも遅く午後５時まで）と、夜の時間帯（例えば午後５時よりも遅く午前４時まで）とで比較すると、朝の時間帯、昼の時間帯、夜の時間帯の順で、照度が小さくなるように設定できる。
【００２８】
色温度制御手段５３は、時計手段４９による時刻に基づいて、照明装置４１の色温度を、時間帯に応じて予め定められた値に制御する手段である。色温度制御手段５３は、色温度を１日の間に変化させることに特徴がある。１年を通じて季節がある場合には、季節ごとに色温度の１日の間での変化の設定を変えてもよい。また、３６５日の日ごとや、月ごとに色温度の１日の間での変化の設定を変えてもよい。
【００２９】
例えば、図８に示すように、朝の時間帯（例えば午前４時よりも遅く午前９時まで）と、昼の時間帯（例えば午前９時よりも遅く午後５時まで）と、夜の時間帯（例えば午後５時よりも遅く午前４時まで）とで比較すると、昼の時間帯、朝の時間帯、夜の時間帯の順で、色温度が小さくなるように設定できる。
【００３０】
時計手段４９により、照度制御手段５１及び色温度制御手段５３は、連動して定刻で照度及び色温度が変化するように制御している。
【００３１】
記憶手段５９には、図８に示すような照度及び色温度の制御値が記憶されている。図８に示す制御値の表は、照度及び色温度が１日の中での望ましい変化をするように、時間帯ごとに変化するように設定されている。具体的には、時間帯ごとに、昼光色のＬＥＤ光源２９Ａと電球色のＬＥＤ光源２９Ｂをどのように、オンオフするかについて設定されている。これにより、照明装置４１の照度及び色温度が時間帯ごとに変化する。
【００３２】
より詳細には、朝の時間帯では、照度が大で、色温度５０００Ｋとされている。この状態は、例えば、昼光色のＬＥＤ光源２９Ａをオンとし、電球色のＬＥＤ光源２９Ｂをオンとすることにより実現できる。昼の時間帯では、照度が中程度で、色温度６５００Ｋとされている。この状態は、例えば、昼光色のＬＥＤ光源２９Ａをオンとし、電球色のＬＥＤ光源２９Ｂをオフとすることにより実現できる。夜の時間帯では、照度が小で、色温度２７００Ｋとされている。この状態は、例えば、昼光色のＬＥＤ光源２９Ａをオフとし、電球色のＬＥＤ光源２９Ｂをオンとすることにより実現できる。
【００３３】
オンオフスイッチ４５は、照明装置４１のオンオフを制御するためのスイッチである。
切替スイッチ４７は、予め定められた少なくとも１つのモードに切り替えが可能なスイッチである。すなわち、本実施例の洗面化粧台１は、通常、時計手段４９によって、照度制御手段５１及び色温度制御手段５３が、連動して定刻で照度及び色温度を変化するように制御されている（通常モード）。この状態から、切替スイッチ４７を操作することにより、予め定められた少なくとも１つのモードに移ることができるようにされている。
【００３４】
このようなモードとして、次の第１モードを設定することができる。第１モードは、ＪＩＳ  ９１１０：２０１０に規定される照度３００〜７５０  ｌｘ、色温度３９００〜５４００  Ｋにするモードである。この第１モードは、化粧に適したモードとされている。このモードにおいても照度及び色温度は、照度制御手段５１及び色温度制御手段５３によって制御されている。また、このような制御値は、記憶手段５９に記憶されている。
【００３５】
また、本実施例では、ＪＩＳ  Ｚ９１１２に規定された昼光色の第２モード、及びＪＩＳ  Ｚ９１１２に規定された電球色の第３モードが備えられている。第２モードは、昼光色のＬＥＤ光源２９Ａをオンとし、電球色のＬＥＤ光源２９Ｂをオフとすることにより実現できる。第３モードは、昼光色のＬＥＤ光源２９Ａをオフとし、電球色のＬＥＤ光源２９Ｂをオンとすることにより実現できる。
【００３６】
本実施例の洗面化粧台１は、上述のように、通常モードでは、時計手段４９によって、照度制御手段５１及び色温度制御手段５３が、連動して定刻で照度及び色温度を変化するように制御されている。この通常モードから、第１〜３モードのいずれかに移行したい場合には、切替スイッチ４７により、利用者の好みのモードに自らの意思で切り替えできるように構成されている。
【００３７】
第１シフト手段５５は、予め定められた時間帯と照度の対応付けから、時刻を前後にシフトした対応付けにシフト可能な手段である。例えば、上述の図８の場合で説明すると、この場合には、通常、
・午前４時よりも遅く午前９時まで  朝の時間帯  照度大
・午前９時よりも遅く午後５時まで  昼の時間帯  照度中
・午後５時よりも遅く午前４時まで  夜の時間帯  照度小
とされている。
【００３８】
これを夜勤者用に時間をシフトさせると、例えば、
・午後４時よりも遅く午後９時まで  夜勤者の朝の時間帯  照度大
・午後９時よりも遅く午前５時まで  夜勤者の昼の時間帯  照度中
・午前５時よりも遅く午後４時まで  夜勤者の夜の時間帯  照度小
になる。ここで、夜勤者の朝の時間帯とは、夜勤者が起床してから数時間の時間帯を意味する。夜勤者の昼の時間帯とは、夜勤者が活動する時間帯を意味する。夜勤者の夜の時間帯とは、夜勤者が就寝等の休息をとる時間帯を意味する。このような制御値は、記憶手段５９に記憶されており、シフトする時間も使用者が自ら任意で変更可能な構成であることが好ましい。
【００３９】
第２シフト手段５７は、予め定められた時間帯と色温度の対応付けから、時刻を前後にシフトした対応付けにシフト可能な手段である。例えば、上述の図８の場合で説明すると、この場合には、通常
・午前４時よりも遅く午前９時まで  朝の時間帯  色温度５０００Ｋ
・午前９時よりも遅く午後５時まで  昼の時間帯  色温度６５００Ｋ
・午後５時よりも遅く午前４時まで  夜の時間帯  色温度２７００Ｋ
とされている。
【００４０】
これを夜勤者用に時間をシフトさせると、例えば、
・午後４時よりも遅く午後９時まで  夜勤者の朝の時間帯  色温度５０００Ｋ
・午後９時よりも遅く午前５時まで  夜勤者の昼の時間帯  色温度６５００Ｋ
・午前５時よりも遅く午後４時まで  夜勤者の夜の時間帯  色温度２７００Ｋ
になる。このような制御値は、記憶手段５９に記憶されており、シフトする時間も使用者が自ら任意で変更可能な構成であることが好ましい。なお、夜勤者の朝の時間帯、夜勤者の昼の時間帯、夜勤者の夜の時間帯については、上述の第１シフト手段５５の説明をそのまま適用できる。
【００４１】
次に、消灯における具体的な制御処理について、その一例を、図９を参照して説明する。
図９は、実施例１において、制御装置４３が行う制御処理を示すフローチャートであり、具体的には、ＣＰＵが実行する処理を表わす。ステップＳ１では、オンオフスイッチ４５がオフに設定されたか否かを判断する。ステップＳ１でＹＥＳの場合（オフの場合）には、Ｓ３に進む。Ｓ３では、第１〜３モードのいずれかのモードにされているか否かを判断し、ＹＥＳの場合（第１〜３モードのいずれかのモードにされている場合）には、Ｓ５に進む。Ｓ５では、第１〜３モードのいずれかのモードから通常モードに変更する。すなわち、切替スイッチ４７によって第１〜３モードのいずれかのモードにされた状態から、通常モードの状態、すなわち、照度制御手段５１及び色温度制御手段５３が、時刻に応じて照度及び色温度を変化する状態に戻される。続いて、Ｓ６に進む。Ｓ６では、照明装置４１を消灯する消灯処理が行われる。
【００４２】
このような消灯における制御処理によれば、切替スイッチ４７によって第１〜３モードのいずれかのモードにされた状態から、オンオフスイッチ４５によって消灯しても、消灯の際に通常モードに戻される。よって、次回、オンオフスイッチ４５によって点灯しても、通常モードで点灯する。従って、点灯時に、例えば、第１モードのように照度が高くてまぶしい状態を回避することができる。
【００４３】
一方、Ｓ３でＮＯの場合（通常モードの場合）には、Ｓ６に進む。Ｓ６では、照明装置４１を消灯する消灯処理が行われる。通常モードの場合で、消灯操作がされた場合には、モードを変更することなく、消灯する。この場合には、次回、オンオフスイッチ４５によって点灯すると、通常モードで点灯する。
【００４４】
実施例１の洗面化粧台１は、時刻に基づいて、照明装置４１の照度を、時間帯に応じて予め定められた値に制御する照度制御手段５１が備えられているから、以下の作用効果を奏する。すなわち、照明装置４１の照度が、時間帯に応じて予め定められた値に制御されるから、使用者が常には自ら光の照度変更の必要性を判断する必要がなく、使用者の利便性が向上する。
【００４５】
実施例１の洗面化粧台１において、時計手段４９による時刻に基づいて、照明装置４１の色温度を、時間帯に応じて予め定められた値に制御する色温度制御手段５３を備えている。この態様では、時刻に基づいて、照明装置４１の色温度を、時間帯に応じて予め定められた値に制御する色温度制御手段５３が備えられているから、以下の作用効果を奏する。すなわち、照明装置４１の色温度が、時間帯に応じて予め定められた値に制御されるから、使用者が常には自ら光の色温度変更の必要性を判断する必要がなく、使用者の利便性が向上する。
【００４６】
実施例１の洗面化粧台１には、照明装置４１をオンオフ可能なオンオフスイッチ４５と、照明装置４１の照度及び色温度について予め定められた少なくとも１つのモードに切り替えが可能な切替スイッチ４７とが備えられている。このように、予め定められた少なくとも１つのモードに切り替えが可能な切替スイッチ４７が備えられているから、以下の作用効果を奏する。すなわち、切替スイッチ４７によりモードの切り替えがされるから、利用者が自らの意思も反映することができ、利便性が更に向上する。例えば、化粧に向いた第１モードに切り替えることが容易にできる。
【００４７】
実施例１の洗面化粧台１では、オンオフスイッチ４５が操作されて、照明装置４１がオンされている状態で、切替スイッチ４７が操作されないときは、モードへの切り替えは行われず、時計手段４９による時刻に基づいて、照明装置４１の照度及び／又は色温度を、時間帯に応じて予め定められた値に制御する構成とされている。この態様では、利用者が切替スイッチ４７により、モードの切り替えを行う意思がない場合には、時間帯に応じて照度及び／又は色温度をコントロールされる。よって、利用者が手動にて光の調整をしなくても、時間帯に応じて適切に光の照度及び／又は色温度がコントロールされる。
【００４８】
実施例１の洗面化粧台１では、第１モードは、ＪＩＳ  ９１１０：２０１０に規定される照度３００〜７５０  ｌｘ、色温度３９００〜５４００  Ｋとされている。第１モードは、化粧をするために適した照度及び色温度とされている。この態様では、利用者は必要に応じて、第１モードに自らの意思で切り替えが可能である。
【００４９】
実施例１の洗面化粧台１では、モードには、少なくとも、第１モードの他に、ＪＩＳ  Ｚ９１１２に規定された昼光色の第２モード、及びＪＩＳ  Ｚ９１１２に規定された電球色の第３モードが含まれている。この態様では、時間帯に応じた照度や色温度と異なる照明にしたい場合には、化粧に適した第１モード、昼光色の第２モード、電球色の第３モードに切り替え可能であるから、自らの意思で最適な照明の状態に調整できる。例えば、使用者の気分等に応じて最適な状態へ切り替えることができる。
【００５０】
実施例１の洗面化粧台１では、第１モードの状態で、オンオフスイッチ４５によって照明装置４１をオフした場合には、次に、オンオフスイッチ４５によって照明装置４１をオンすると、時計手段４９による時刻に基づいて、照明装置４１の照度及び色温度が、時間帯に応じて予め定められた値に制御される。この態様では、化粧に適した第１モードで消灯しても、次回の点灯時には、通常モード、すなわち、時計手段４９による時刻に基づいて、照明装置４１の照度及び／又は色温度が、時間帯に応じて予め定められた値に制御されるモードになる。よって、化粧に適した第１モードで終了しても時刻に基づいてコントロールされる状態に戻す必要がなくなるから、操作回数が減り、利便性が高い。
【００５１】
実施例１の洗面化粧台１では、照度制御手段５１により、照明装置４１の照度を制御する場合に、予め定められた時間帯と照度の対応付けから、時刻を前後にシフトした対応付けにシフト可能な第１シフト手段５５が備えられている。よって、夜勤等を行う者の勤務状況や、生活状態に合わせた設定をすることができ、利用者の生活リズムに適した照明とすることができる。
【００５２】
実施例１の洗面化粧台１では、色温度制御手段５３により、照明装置４１の色温度を制御する場合に、予め定められた時間帯と色温度の対応付けから、時刻を前後にシフトした対応付けにシフト可能な第２シフト手段を備えている。よって、夜勤等を行う者の勤務状況や、生活状態に合わせた設定をすることができ、利用者の生活リズムに適した照明とすることができる。
【００５３】
実施例１の洗面化粧台１では、ＬＥＤ光源２９として、昼光色のＬＥＤ光源２９Ａと、電球色のＬＥＤ光源２９Ｂとの２種類を用い、これらが交互になるように配置されている。そして、この構成により、照度及び／又は色温度をコントロールしている。このように、実施例１では、比較的簡易な構造により照度及び／又は色温度をコントロールできるからコスト的に有利である。
【００５４】
実施例１の洗面化粧台１では、昼光色のＬＥＤ光源２９Ａと、電球色のＬＥＤ光源２９Ｂとが交互になるように配置されている。よって、中仕切りユニット１７の上下方向において、照度のむらができにくく、デザイン性が高い。
【００５５】
＜他の実施例＞
本発明は上記記述及び図面によって説明した実施例に限定されるものではなく、例えば次のような実施例も本発明の技術的範囲に含まれる。
（１）実施例の洗面化粧台１では、収納部１３は３つとしたが、その個数は必要に応じて適宜選択できる。
（２）実施例の洗面化粧台１では、三面のミラー扉１５を備えたものを例として説明したが、ミラー扉１５の面数は、特に限定されず、その数は必要に応じて適宜選択できる。通常、ミラー扉１５の面数は、収納部１３の個数と同数が採用されるが、これに限定されない。
（３）実施例の洗面化粧台１では、中央と左側のミラー扉１５Ａ、１５Ｂが左開きであり、右側のミラー扉１５Ｃが右開きである例を示したが、ミラー扉の開き方の左右は、特に限定されず、種々の組み合わせが採用される。
（４）実施例の洗面化粧台１では、照明カバー２３は、例えばポリカーボネート等の半透明の樹脂製としたが、材質は特に限らず、ガラス等の無機材を用いてもよく、また、ポリカーボネート以外の樹脂を用いてもよい。
【００５６】
（５）実施例の洗面化粧台１では、照明装置４１の照度及び色温度は、昼光色のＬＥＤ光源２９Ａ、電球色のＬＥＤ光源２９Ｂのオンオフによって制御していたが、この態様に限定されない。例えば、以下のように行うことができる。例えば、色温度制御手段５３では、色温度が異なる複数の光源の出力に差を設けることで、照明装置４１全体としての色温度を調整できる。照度制御手段５１では、複数の光源の総出力を決定し、色温度制御手段５３で決定された出力バランスに基づいて、各光源における出力を決定し、発光させることができる。このようにすることで、所望の照度及び色温度で照明を行うことが可能である。
【００５７】
（６）実施例の洗面化粧台１では、第１シフト手段５５、第２シフト手段５７において、夜勤者用のシフト例を示したが、この例に限定されない。
（７）実施例の洗面化粧台１では、朝、昼、夜の３つの時間帯に分けて、照度や色温度をコントロールする態様を示したが、サーカディアン・リズム（概日リズム）や、四季の変化、日出時間、日没時間等を考慮して、照度や色温度をより詳細にコントロールしてもよい。
（８）実施例の洗面化粧台１では、制御装置４３による制御処理をＣＰＵにより実行されるソフトウェアにより実現したが、同様な制御動作を専用のハードウェアにより実現してもよい。
（９）実施例の洗面化粧台１では、請求項７に記載の発明の一態様を、図９に示すフローチャートを用いて説明したが、このフローチャートに限定されることはなく、本発明の技術的範囲内で種々の変更が可能である。
（１０）実施例の洗面化粧台１では、オンオフスイッチ４５が操作されて、照明装置４１がオンされる態様を例示したが、オンオフスイッチ４５が操作されない状態で、切替スイッチ４７が操作された時に、第１モードで点灯するようにしてもよい。
【符号の説明】
【００５８】
１…洗面化粧台
４１…照明装置
４３…制御装置
４５…オンオフスイッチ
４７…切替スイッチ
４９…時計手段
５１…照度制御手段
５３…色温度制御手段
【図１】
2017158668.tif 000003
【図２】
2017158668.tif 000004
【図３】
2017158668.tif 000005
【図４】
2017158668.tif 000006
【図５】
2017158668.tif 000007
【図６】
2017158668.tif 000008
【図７】
2017158668.tif 000009
【図８】
2017158668.tif 000010
【図９】
2017158668.tif 000011